(57)【要約】  車両の被覆要素を調整するための駆動装置（１）、特に窓ガラス開閉調整装置のための駆動装置（１）は、被覆要素を調整するための出力要素と、ステータ（８３）と、ロータ（８４）と、ロータ（８４）に連結されて軸の軸線（Ｗ）回りに回転可能である、出力要素を駆動するための駆動軸（８００）とを有する電動機（８０）を備えた電動機ユニット（８）と、電動機ユニット（８）を少なくとも部分的に囲んでいる駆動ハウジング（７）とを具備している。その際、ステータ（８３）は軸受要素（８５）を介して、駆動ハウジング（７）の固定されたハウジング部分に連結され、軸受要素（８５）は軸受穴（８５２）を有し、この軸受穴内に、駆動軸（８００）がステータ（８３）と相対的に回転可能に軸承されている。これにより、所望な運転特性を有し、十分なトルクを供し、そしてコンパクトに形成可能である駆動装置が提供される。
2019527032.tif 000002
【特許請求の範囲】
【請求項１】
車両の被覆要素を調整するための駆動装置（１）、特に窓ガラス開閉調整装置のための駆動装置であって、
前記被覆要素を調整するための出力要素と、
ステータ（８３）と、ロータ（８４）と、前記ロータ（８４）に連結されて軸の軸線（Ｗ）回りに回転可能である、前記出力要素を駆動するための駆動軸（８００）とを有する電動機（８０）を備えた電動機ユニット（８）と、
前記電動機ユニット（８）を少なくとも部分的に囲んでいる駆動ハウジング（７）とを具備する上記駆動装置（１）において、
前記ステータ（８３）が軸受要素（８５）を介して、前記駆動ハウジング（７）の固定されたハウジング部分に連結され、前記軸受要素（８５）が軸受穴（８５２）を有し、この軸受穴内に、前記駆動軸（８００）が前記ステータ（８３）と相対的に回転可能に軸承されていることを特徴とする駆動装置（１）。
【請求項２】
前記軸受要素（８５）が前記ステータ（８３）のステータ本体（８３２）に固定連結された第１シャフト部分（８５０）と、この第１シャフト部分（８５０）に対して軸方向にずらされて前記ハウジング部分に固定連結された第２シャフト部分（８５１）を備えていることを特徴とする請求項１に記載の駆動装置（１）。
【請求項３】
前記ロータ（８４）が前記軸の軸線（Ｗ）に関して前記ステータ（８３）の半径方向外側で回転するアウタロータとして形成されていることを特徴とする請求項１または２に記載の駆動装置（１）。
【請求項４】
前記電動機（８０）がブラシレス直流モータとして形成されていることを特徴とする請求項１〜３のいずれか一項に記載の駆動装置（１）。
【請求項５】
前記ステータ（８３）が多数の磁極歯（８３１）を備え、この磁極歯上に多数のステータコイル（８３０）が配置されていることを特徴とする請求項１〜４のいずれか一項に記載の駆動装置（１）。
【請求項６】
前記ロータ（８４）が多数の磁極を有する磁石構造体（８４０）を備えていることを特徴とする請求項１〜５のいずれか一項に記載の駆動装置（１）。
【請求項７】
前記ロータ（８４）が磁極カップ（８４１）を備え、この磁極カップが前記駆動軸（８００）に連結され、かつ前記磁石構造体（８４０）を支持していることを特徴とする請求項１〜６のいずれか一項に記載の駆動装置（１）。
【請求項８】
駆動輪（６）を具備し、この駆動輪が前記出力要素に作用連結され、かつ前記駆動軸（８００）に歯でかみ合っていることを特徴とする請求項１〜７のいずれか一項に記載の駆動装置（１）。
【請求項９】
前記駆動軸（８００）に配置された駆動ウォーム（８１）を具備し、この駆動ウォームが前記駆動輪（６）の歯（６００）にかみ合うウォーム歯（８１０）を有することを特徴とする請求項８に記載の駆動装置（１）。
【請求項１０】
前記ロータ（８４）が前記駆動ウォーム（８１）とは反対の前記ステータ（８３）の側で、前記駆動軸（８００）に連結されていることを特徴とする請求項９に記載の駆動装置（１）。
【請求項１１】
前記駆動ハウジング（７）がウォームハウジング（７４）を備え、このウォームハウジング内に前記駆動ウォーム（８１）が入れられていることを特徴とする請求項９または１０に記載の駆動装置（１）。
【請求項１２】
前記軸受要素（８５）が前記ウォームハウジング（７４）に係合していることを特徴とする請求項１１に記載の駆動装置（１）。
【請求項１３】
前記軸受要素（８５）が軸方向において前記ウォームハウジング（７４）の第１段差部（７４０）に支持されていることを特徴とする請求項１２に記載の駆動装置（１）。
【請求項１４】
前記軸受要素（８５）と、この軸受要素（８５）に対して軸方向にずらした他の軸受要素（８２）が、前記ウォームハウジング（７４）内に配置され、かつ前記駆動軸（８００）を回転可能に軸承していることを特徴とする請求項１１〜１３のいずれか一項に記載の駆動装置（１）。
【請求項１５】
前記の他の軸受要素（８２）が軸方向において前記ウォームハウジング（７４）の第２段差部（７４１）に支持されていることを特徴とする請求項１４に記載の駆動装置（１）。
【請求項１６】
前記駆動軸（８００）の一端が乗り上げ要素（８６）を介して前記ウォームハウジング（７４）内で軸方向に支持されていることを特徴とする請求項１１〜１５のいずれか一項に記載の駆動装置（１）。
【請求項１７】
前記ロータ（８４）と前記ステータ（８３）が前記駆動ハウジング（７）の電動機カップ（７３）に入れられ、前記駆動軸（８００）が軸方向において前記電動機カップ（７３）の蓋（７５）に支持されていることを特徴とする請求項１〜１６のいずれか一項に記載の駆動装置（１）。
【請求項１８】
前記駆動軸（８００）の前記軸線（Ｗ）が回転軸線（Ｄ）に対して傾斜角（α）をなして配向され、この回転軸線回りに前記出力要素が回転可能であることを特徴とする請求項１〜１７のいずれか一項に記載の駆動装置（１）。
【請求項１９】
前記出力要素が、この出力要素に作用連結された引張り要素（１０）を調整するための、回転軸線（Ｄ）回りに回転可能なケーブルドラム（３）であり、このケーブルドラムが支持要素（４）の第１側に配置され、前記駆動ハウジング（７）が前記支持要素（４）の第１側とは反対の第２側に配置されていることを特徴とする請求項１〜１８のいずれか一項に記載の駆動装置（１）。
【発明の詳細な説明】
【技術分野】
【０００１】
本発明は、請求項１の前提部分に記載した、車両の被覆要素を調整するための駆動装置、特に窓ガラス開閉調整装置のための駆動装置に関する。
【背景技術】
【０００２】
このような駆動装置は、被覆要素を調整するための出力要素と、電動機ユニットとを備えている。この電動機ユニットはステータと、ロータと、ロータに連結され軸の軸線回りに回転可能である、出力要素を駆動するための駆動軸とを有する電動機を備えている。電動機ユニットは少なくとも一部が駆動装置の駆動ハウジング内に入れられている。
【０００３】
駆動装置は車両の被覆要素を調整するため、特に窓ガラス開閉調整装置のために有利に使用可能である。被覆要素は窓ガラス、スライドルーフ、荷物室カバー、テールゲート、日除けブラインドまたは車両の開口等を被覆するための車両ドアである。
【０００４】
窓ガラス開閉調整装置の場合、例えばドアモジュールの機器支持体に、１個または複数のガイドレールを配置することができる。このガイドレールに沿って、窓ガラスに連結された伝動体が１個ずつ案内されている。伝動体は（専ら）引張り力を伝達するように設計された可撓性の引張り要素（例えば引張りケーブル）を介して駆動装置に連結されている。この場合、引張り要素は、ケーブルドラムの回転運動時に引張り要素の一端がケーブルトラムに巻き取られ、他端がケーブルドラムから繰り出されるように、ケーブルドラムの形をした出力要素上に配置されている。それにより、引張りケーブルによって形成されたケーブルループを摺動させ、従ってそれぞれ付設されたガイドレールに沿って伝動体を移動させることになる。よって、例えば車両サイドドアの窓開口を開閉するために、窓ガラスを、駆動装置によって駆動して調整することができる。
【０００５】
独国特許出願公開第１０２００４  ０４４８６３Ａ１号明細書から知られている、自動車の調整装置のための駆動装置の場合には、ケーブルドラムが駆動ハウジングの軸受心棒上に配置されている。この場合、駆動ハウジングはボルトの形をした固定要素を介して、機器支持体の形をした支持要素に連結されている。
【０００６】
窓ガラス開閉調整装置用の駆動装置は、例えば車両サイドドアのドアモジュールの機器支持体の形をした支持要素に取付けられ、それによって車両サイドドア内に入れられている。この駆動装置は、有利な運転特性、特に支持要素に対する励振作用が小さく回転がスムースであるという特性を有するべきであり、さらに供される構造スペースを効率的に利用すべきである。この場合、駆動装置をコンパクトに形成する必要がある。しかし、駆動装置は、調整すべき調整部品、例えば窓ガラスの確実な調整を保証するために、場合によってはシステムの機能不調の場合にも、例えばシール等内で回転し始めるために、十分なトルクを提供しなければならない。この場合一般的に、提供されるトルクは電動機の大きさに左右される。ロータ直径がより大きい場合および／またはロータ長さがより長い場合には、電動機はより大きなトルクを提供することができる。
【発明の概要】
【発明が解決しようとする課題】
【０００７】
本発明の課題は、所望な運転特性を有し、十分なトルクを提供し、そしてコンパクトに形成することができる駆動装置を提供することである。
【課題を解決するための手段】
【０００８】
この課題は、請求項１の特徴を有する対象によって解決される。
【０００９】
それによれば、ステータは軸受要素を介して、駆動ハウジングの固定されたハウジング部分に連結され、軸受要素は軸受穴を有し、この軸受穴内に、駆動軸がステータと相対的に回転可能に軸承されている。
【００１０】
従って、軸受要素は使用されるときに二重機能を有する。軸受要素は一方では、駆動装置の駆動ハウジング内でステータを固定する働きをする。これは特に、後で詳しく説明するように、中央内側にある固定されたステータと、このステータを中心にその外側で回転するロータとを備えたアウタロータ電動機として電動機を形成することを可能にする。軸受要素はさらに、他の機能によって、駆動軸を軸承する働きをする。そのために、軸受要素は軸受穴を有し、この軸受穴内に、駆動軸がステータと相対的に回転可能に軸承されている。従って、軸受要素はステータと相対的に回転可能に軸承するための駆動軸用軸受を提供する。
【００１１】
軸受要素は例えば合成樹脂で作ることができる。軸受要素は特に、駆動軸を軸承するための滑り特性を有すると有利である。
【００１２】
実施形では、軸受要素はステータのステータ本体に固定連結された第１シャフト部分を有する。これに対して、第１シャフト部分に対して軸方向にずれている第２シャフト部分が、ハウジング部分に固定連結されているので、軸受要素はステータをハウジング部分に固定連結する。
【００１３】
実施形では、ロータは軸の軸線に関してステータの半径方向外側で回転するアウタロータとして形成されている。それによって、電動機ユニットの電動機はアウタロータ電動機として形成されている。このようなアウタロータ電動機の場合、固定されたステータが回転するロータの半径方向内側に配置されている。従って、ロータはステータ回りに回転する。これは、ロータを比較的に大きな直径で形成することを可能にする。これにより、電動機の所望なトルク特性を生じることができる。
【００１４】
一般的に、電動機のトルクは直径が大きくなるにつれて増大する。従って、ロータの直径を大きくすると、これは、トルクが同じである場合、他の方向、特に軸方向における電動機の構造寸法を小さくするために用いることができ、よって電動機と駆動軸の軸方向長さを短縮することができる。
【００１５】
電動機は特にブラシレス直流電動機として形成可能である。このようなブラシレス直流電動機の場合、ステータは一般的にステータ本体に多数の磁極歯を備え、この磁極歯には多数のステータコイルが配置されている。このようなステータコイルは例えば同心的なコイルとして磁極歯に巻くことができる。しかし、いわゆる軸コイルを使用してもよい。各磁極歯には１個または複数のコイルを配置することができる。この場合、各コイルは、付設の磁極歯の周りに巻かれた巻線によって形成された１つまたは複数の巻きからなっている。運転中、ステータコイルは、例えば三電流相をコイルに励起させて回転磁場をステータに発生するように、電子的に整流して通電される。
【００１６】
ブラシレス直流電動機の場合、ロータは多数の永久磁石極を有する磁石構造体を備えている。磁石構造体は例えば不連続の永久磁石によって形成可能である。しかし、軸の軸線の周りにおいて互いに周方向にずらされ交互に磁化される多数の磁石極を有する環状磁石を使用してもよい。例えば結合または焼結されたネオジム磁石構造体を使用することができる。さらに、Ｃｅｒ（セリウムとも呼ばれ、元素記号はＣｅ）を（永久）磁石材料として用いる磁石構造体を使用してもよい。この磁石構造体に基づいて、ロータに励起磁場が存在する。この励起磁場は電動機の運転中、ロータにトルクを発生するためにステータの回転磁場と協働する。
【００１７】
例示的な実施形では、ステータがステータコイルを配置した９個の磁極歯を備えている。ロータは例えば６個の（永久）磁石極（３対の磁石極）を有する磁石構造体を備えることができる。ブラシレス直流電動機を使用することにより、駆動装置はその運転特性およびトルク特性が所望であると共に、その形状をさらに小さくすることができる。
【００１８】
実施形では、ロータは例えば強磁性材料で作られた磁極カップを備え、それによってロータに配置された磁石構造体のために磁気的なループバックを提供することができる。ロータは駆動軸に連結され、磁石構造体を支持する。この場合、磁石構造体は例えば環状磁石として磁極カップ内に配置されている。
【００１９】
駆動要素は好ましくは、駆動軸に歯でかみ合う駆動輪に作用連結されている。この場合、駆動軸は例えば駆動ウォームを支持している。この駆動ウォームは駆動輪の外歯とかみ合うウォーム歯を備えている。駆動軸を回転することによっておよびそれに伴い駆動ウォームを回転することによって、駆動輪が回転させられ、さらに出力要素が駆動される。
【００２０】
この場合、ロータ、特にロータの磁極カップは好ましくは、駆動ウォームとは反対のステータの側で駆動軸に連結されている。それによって、ステータの外側でその回りを回転するロータの磁極カップは、駆動ウォームとは反対の側で、ステータを取り囲んでいる。これにより、駆動ウォーム寄りの側で軸受要素を介してステータを駆動ハウジングに連結し、駆動ウォームに対して空間的に近い位置関係で、軸受要素を介して駆動軸を軸承することができる。
【００２１】
駆動ハウジングは好ましくはウォームハウジングを備え、このウォームハウジング内に駆動ウォームが入れられている。ウォームハウジングは好ましくは、その軸方向長さに沿ってほぼ一定の直径を有する円筒の形に形成され、それによって駆動ウォームはウォームハウジング内に回転可能に収容されている。
【００２２】
実施形では、ウォームハウジングは軸受要素を連結したハウジング部分を形成している。そのために、軸受要素は例えばウォームハウジングに係合し、ウォームハウジングに固定連結されている。この固定連結は例えば、軸受要素をウォームハウジングに圧入することによって行われる。それに加えてまたはその代わりに、軸受要素をウォームハウジングに接着または溶接するかあるいはその他の方法でウォームハウジングに固定することができる。
【００２３】
軸受要素はさらに、ステータの本体に固定連結されている。そのために、軸受要素を圧着、溶接、接着またはその他の方法でステータ本体に固定することができる。
【００２４】
軸受要素をウォームハウジングに押し付けると、軸受要素はウォームハウジング内に圧入されてプレス嵌めされる。この場合、ウォームハウジング内で軸受要素の軸方向位置を定めるために、ウォームハウジングに段差部を設けることができる。軸受要素はウォームハウジング内への差込み（圧入）時に、例えば適当なストッパを介して段差部に接触する。それによって、軸受要素は連結状態でウォームハウジングに軸方向で支持される。
【００２５】
異なる方法で軸受要素をウォームハウジングに連結する場合にも、軸受要素はウォームハウジングの段差部を介して、ウォームハウジングに対して所定の位置を占めることができる。
【００２６】
軸受要素は駆動軸を軸承する働きをし、軸方向に比較的に長く形成可能であるので、駆動ハウジング内での駆動軸の所望な軸承が軸受要素を介して行われる。さらに、軸受要素に対して軸方向にずらした第２軸受要素を介して、駆動軸をウォームハウジング内で軸承することができる。この第２軸受要素は例えばステータとは反対側の駆動軸の端部に配置され、それによってステータから離れた端部で駆動軸はウォームハウジングに対して軸承する。この場合、第２軸受要素はブッシュ状に形成可能であり、そしてウォームハウジングに係合する第１軸受要素のシャフト部分と同じ外径を有することができる。それによって、第１軸受要素も第２軸受要素も例えばウォームハウジングにプレス嵌めすることができる。第１軸受要素と第２軸受要素がウォームハウジングの長さにわたって一定の内径を有する場合、第１軸受要素と第２軸受要素の外径が同じであると、許容誤差条件が有利になる。というのは、両軸受要素の装着部の許容誤差が同じようになるからである。
【００２７】
第２軸受要素は同様に、ウォームハウジングの第２段差部に軸方向で支持することが可能である。それによって、第２軸受要素はウォームハウジング内で所定の軸方向位置を占める。
【００２８】
駆動軸を軸方向で支持するために、ウォームハウジング内に例えば乗り上げ要素を設けることができる。駆動軸が（ステータとは反対側の）端部でこの乗り上げ要素に軸方向で支持される。乗り上げ要素は例えば、ウォームハウジングの端部分内に位置する。この端部分は駆動ウォームを収容するウォームハウジングの部分よりも小さな内径を有することができる。
【００２９】
駆動軸は第１軸受要素を貫通するその端部において、ロータとステータを挿入した電動機カップの蓋に軸方向で支持することが可能である。そのために、この蓋に、駆動軸用スラスト軸受をなす乗り上げ個所を形成することができる。
【００３０】
実施形では、駆動軸の軸線は、出力要素の回転軸線に対して傾斜した角度で配向可能である。例えば独国特許出願公開第１０２００４  ０４４８６３Ａ１号明細書によって知られているような窓ガラス開閉調整装置用の従来の駆動装置の場合には、駆動軸の軸線が（ケーブルドラムの形をした）出力要素の回転軸線に対して横向きに延在している。出力要素に対する駆動軸のこの配置構造は、支持要素における駆動装置の電動機ユニットの配置可能性を制限するので、供される構造スペースが実質的に前もって定められる。この従来技術と異なり、駆動軸の軸線は出力要素の回転軸線に対して傾斜角度で配向される。従来は軸の軸線が出力要素の回転軸線に対して９０°の角度をなしているのに対して、駆動軸の軸線は回転軸線に対して、傾斜角度、すなわち９０未満の角度、例えば８５°と６５°の間の範囲の角度、例えば８０°と７０°の間の範囲の角度をなしている。これは付加的な自由度を提供する。というのは、これが、電動機ユニットの位置を駆動装置の他の構成要素に対して適合させることを可能にし、それによって供される構造スペースを効率的に利用することができるからである。
【００３１】
これは、ロータの直径を（さらに）増大することを可能にする。直径の増大により、供されるトルクが同じである場合、電動機ユニットの軸方向長さとさらに駆動軸の軸方向長さを短縮することができる。これはさらに駆動装置のコンパクトな構造に寄与する。
【００３２】
好ましくは駆動輪の回転軸線に一致する、出力要素の回転軸線に対して、駆動軸の軸線を傾斜させたことにより、駆動ウォームも回転軸線に対して斜めに、ひいては駆動輪に対して斜めに延設することができる。有利な実施形では、軸の軸線の傾斜は、ウォーム歯のピッチ角度が軸の軸線と回転軸線に対して横向きに（９０°の角度をなして）延びる横軸線との間の角度に一致するように選定される。これは、駆動輪の歯を直歯として形成することを可能にする。これにより、駆動輪を所望な形状にすることができると共に、簡単か
つ低コストで製作することができる。
【００３３】
ウォーム歯のピッチとは一般的に、周方向の長さ当たりの軸方向のストロークであると理解される。ピッチは例えば、回転当たりの周方向長さによって割った、回転当たりの軸方向ストロークに基づいて決定される（この周方向長さは、１回転にわたってウォームを直線的に転動させるときに得られる変位の長さから生じる）。ピッチ角度はピッチから直接生じる。
【００３４】
出力要素は例えば、それに作用連結された引張り要素を調整するための、回転軸線回りに回転可能なケーブルドラムである。このケーブルドラムは支持要素の第１側に配置されている。駆動ハウジングは支持要素の第１側とは反対の第２側に配置されている。ケーブルドラムを回転することにより、引張り要素が動かされ、それによって調整すべき被覆要素、例えば窓ガラスを動かすことができる。ケーブルドラムは一般的に、例えば車両ドアの湿気のある空間内に配置され一方、電動機ユニットは支持要素の他の側において乾燥した空間内に固定されている。この場合、支持要素は湿気のある空間と乾燥した空間を分離する。
【００３５】
次に、図に示した実施の形態に基づいて本発明の根底をなす思想を詳しく説明する。
【図面の簡単な説明】
【００３６】
【図１Ａ】駆動装置の実施の形態の分解図である。
【図１Ｂ】他の方向から見た、図１Ａの分解図である。
【図２】支持要素に装着する前のケーブル繰り出しハウジングを示す図である。
【図３】支持要素に装着する前のケーブル繰り出しハウジングを他の方向から見た図である。
【図４Ａ】ケーブル繰り出しハウジング寄りの支持要素の第１側の平面図である。
【図４Ｂ】図４ＡのＡ−Ａ線に沿った断面図である。
【図５】駆動ハウジング寄りの支持要素の第２側の斜視図である。
【図６】駆動ハウジング単独の斜視図である。
【図７Ａ】駆動ハウジングの平面図である。
【図７Ｂ】図７ＡのＢ−Ｂ線に沿った断面図である。
【図８】駆動軸の軸線を従来のごとく配向した場合の駆動装置の側面図である。
【図９】第１変形に係る、軸の軸線を斜めに配向した駆動装置の側面図である。
【図１０】第２変形に係る、軸の軸線を斜めに配向した駆動装置の側面図である。
【図１１】図１０の配置構造の部分拡大図である。
【図１２】窓ガラス開閉調整装置の形をした車両の調整装置の概略図である。
【図１３】電動機ユニットの実施の形態を示す図である。
【図１４Ａ】駆動軸を端側で軸承する軸受要素を省略した電動機ユニットを示す図である。
【図１４Ｂ】図１４Ａの構造体の他の方向から見た図である。
【図１５Ａ】ロータを省略した電動機ユニットを示す図である。
【図１５Ｂ】図１５Ａの構造体の他の方向から見た図である。
【図１６】電動機ユニットの部分断面図である。
【図１７】ステータに配置されたステータコイルを省略した電動機ユニットを示す図である。
【図１８】軸受要素内に軸承された駆動軸を示す図である。
【図１９Ａ】駆動軸を軸承する軸受要素を示す図である。
【図１９Ｂ】軸受要素を他の方向から見た図である。
【図２０】電動機ユニットの範囲内の駆動装置の部分断面図である。
【図２１】ステータに配置されたステータコイルの三相通電部を有する電動機ユニットの電動機の概略図である。
【図２２】電動機ユニットの実施の形態を示す図である。
【図２３】駆動軸を軸承する軸受要素と共に駆動軸を分離して示す図である。
【図２４】軸受要素を分離して示す図である。
【図２５】駆動ハウジング内の電動機ユニットの断面図である。
【発明を実施するための形態】
【００３７】
図１Ａ、１Ｂ乃至図７Ａ、７Ｂは駆動装置１の実施の形態を示す。この駆動装置は例えば自動車サイドドアの窓ガラスを調整するための調整装置における駆動部として使用可能である。
【００３８】
図１２に例示する、窓ガラス開閉調整装置の形をしたこのような調整装置は、例えば一対のガイドレール１１を備えている。このガイドレールに沿ってそれぞれ、窓ガラス１３に連結された伝動体１２が調整可能である。各伝動体１２は（専ら）引張り力を伝達するように形成された引張りケーブル１０を介して、駆動装置１に連結されている。この場合、引張りケーブル１０は閉じたケーブルループとして形成され、そのためにその端部が駆動装置１のケーブルドラム３（例えば図１Ａと１Ｂ参照）の形をした出力要素に連結されている。引張りケーブル１０は駆動装置１からガイドレール１１の下端の方向変更プーリ１１０を回って伝動体１２の方へ延び、そして伝動体１２からガイドレール１１の上端の方向変更プーリ１１１を回って駆動装置１に戻っている。
【００３９】
運転中、引張りケーブル１０の一端がケーブルドラム３に巻き取られ、他端がケーブルドラム３から繰り出されるように、駆動装置１の電動機ユニットはケーブルドラム３を駆動する。これにより、引張りケーブル１０によって形成されたケーブルループはケーブル自由長を変えずに移動する。これは、伝動体１２をガイドレール１１に沿って同じ方向に動かすことになり、それによって窓ガラス１３はガイドレール１１に沿って開閉調整される。
【００４０】
窓ガラス開閉調整装置は図１２の実施の形態の場合、ドアモジュールの機器支持体４上に配置されている。この機器支持体４は例えば車両ドアのドア内側金属薄板に固定可能であり、機器支持体４上に配置された窓ガラス開閉調整装置に予め取付けて車両ドアに取付けることができる予め取付けられたユニットを形成する。
【００４１】
図１Ａ、１Ｂ乃至図７Ａ、７Ｂの実施の形態の駆動装置１は、例えばドアモジュールの機器支持体によって形成された支持要素４の平面部分４０上に配置され、支持要素４の第１側に配置されたケーブル繰り出しハウジング２と、支持要素４の第１側とは反対の第２側に配置された駆動ハウジング７とを備えている。ケーブル繰り出しハウジング２はケーブルドラム３を支持要素４上に軸承する働きをし一方、駆動ハウジング７は特に駆動輪６を囲んでいる。この駆動輪は電動機ユニット８によって駆動可能であり、かつケーブルドラム３に連結されている。従って、駆動輪６を回転させることによってケーブルドラム３を駆動することができる。
【００４２】
支持要素４の第１側のケーブルドラム３は、所定の配置構造の場合には、例えば車両ドアの湿った空間内において車両ドアに配置されている。これに対して、駆動ハウジング７は車両ドアの乾燥した空間内にある。湿った空間と乾燥した空間の間の分離は支持要素４によって行われ、それにより駆動輪６とケーブルドラム３の間の交点は湿気を漏らさぬように封止可能であり、従って湿気は湿った空間から乾燥した空間内に達することができない。
【００４３】
ケーブル繰り出しハウジング２は底２０と、この底２０の中央から突出する、軸受心棒の形をした円筒状の軸受要素２２と、この円筒状軸受要素２２に対して平行に延在するハウジングウェブの形をしかつ軸受要素２２から半径方向に離隔されたハウジング部分２１とを備えている。軸受要素２２にはケーブルドラム３が回転可能に軸承され、その際ケーブルドラム３は支持要素４上に保持されるようにケーブル繰り出しハウジング２によって囲まれている。
【００４４】
ケーブルドラム３は本体３０を備え、この本体３０の外周面には、引張りケーブル１０を収容するためのケーブル用溝３００が形成されている。ケーブルドラム３はその中空輪３１が支持要素４の穴４１に挿入され、駆動輪６に相対回転しないように連結されている。それによって、駆動輪６の回転運動はケーブルドラム３を回転運動させることになる。
【００４５】
駆動ハウジング７は封止要素５を介在して支持要素４の他の第２の側に装着され、ハウジングカップ７０を備えている。このハウジングカップはその中央に形成されかつ円筒状の軸受心棒の形をした軸受要素７２を備えている。この軸受要素は駆動輪６の穴６２を貫通し、これにより駆動輪６を回転可能に軸承している。ハウジングカップ７０にはウォームハウジング７４が接続している。このウォームハウジング内には駆動ウォーム８１が入れられている。この駆動ウォームは電動機ユニット８の電動機８０の駆動軸８００に連結され、そしてウォーム歯を介して駆動輪６の本体６０の外歯６００にかみ合っている。駆動軸８００は電動機８０とは反対側の端部で軸受８２を介してウォームハウジング７４内に軸承されている。この場合、電動機８０は駆動ハウジング７の電動機カップ７３内に入れられ、この電動機カップはハウジング蓋７５によって外側が閉鎖されている。
【００４６】
駆動ハウジング７はさらに、電子機器ハウジング７６を備えている。この電子機器ハウジング内にはプリント回路基板７６０が入れられ、このプリント回路基板はその上に配置された制御電子機器を備えている。電子機器ハウジング７６は外側がハウジング板７６１によって閉鎖され、このハウジング板はその上に配置された、プリント回路基板７６０の電子機器を電気的に接続するための差込みコネクタ７６２を備えている。
【００４７】
駆動輪６は本体６０から軸方向に突出する連結輪６１を備え、この連結輪には外歯６１０が形成されている。この外歯はケーブルドラム３の中空輪３１に係合し、それによって中空輪３１の内歯３１０（例えば図１Ｂ参照）が連結輪６１の外歯６１０にかみ合う。これにより、駆動輪６とケーブルドラム３が相対回転しないように互いに連結されるので、ケーブルドラム３は駆動輪６を駆動することによって支持要素４上で回転可能である。
【００４８】
駆動装置１を組み立てるために、一方ではケーブル繰り出しハウジング２が支持要素４に装着され、他方では駆動ハウジング７が支持要素４に装着される。支持要素４上での固定は、ねじ込み要素の形をした固定要素９を駆動ハウジング７の下側から係合穴７２１に挿入し、駆動ハウジング７の軸受要素７２の穴７２０に通し、そして中央でケーブル繰り出しハウジング２の軸受要素２２の穴２２１に係合させることによって行われる。ケーブル繰り出しハウジング２と駆動ハウジング７は固定要素９を介して軸受要素２２、７２のところで互いに軸方向に締付けられ、さらに支持要素４に固定される。
【００４９】
組立てのために、ケーブル繰り出しハウジング２が支持要素４の第１側に装着され、それによってケーブル繰り出しハウジング２はケーブルドラム３を取り囲み、支持要素４に保持される。この場合、ケーブル繰り出しハウジング２は軸受要素２２に対して半径方向に離隔されたそのハウジング部分２１の脚部２１０を介して、接触リング４５に接触される。この接触リングは支持要素４の穴４１を周方向に取り巻いている。接触リング４５には、ウェブ状のピンの形をした、軸方向に突出するかみ合い連結要素４２が形成されている。このかみ合い連結要素は、ケーブル繰り出しハウジング２を支持要素４に装着する際に、ハウジング部分２１の脚部２１０のかみ合い連結穴２１２（図２参照）に係合し、それによってケーブル繰り出しハウジング２と支持要素４は軸受要素２２によって定められた回転軸線Ｄ回りの相対回転が防止される。
【００５０】
かみ合い連結要素４２の内側には係止凹部４２０（例えば図３参照）が形成されている。この係止凹部には、ケーブル繰り出しハウジング２の装着時に、外側に突出したハウジング部分２１の係止突起の形をした係止要素２１１が係合する。この係止連結部を介して、ケーブル繰り出しハウジング２はその中に入れられたケーブルドラム３と共に支持要素４上で予備組立て状態に保持される。この保持は、駆動ハウジング７が固定要素９を介してケーブル繰り出しハウジング２にまだ締付け固定されていないときにも行われる。従って、係止連結部は組立てを簡単にし、かつ駆動ハウジング７がまだ組立てられていないときにケーブル繰り出しハウジング２の落下を防止する。
【００５１】
ケーブルドラム３は予備組立て状態で、中空輪３１の上縁部の半径方向に突出する載置要素３２（例えば図１Ａ参照）を介して、支持要素４の穴４１内の載置リング４６に載置される。それによって、ケーブルドラム３は予備組立て状態で、穴４１を通って滑り抜けることができず、ケーブル繰り出しハウジング２を介して支持要素４に保持される。
【００５２】
載置要素３２は特に、予備組立て状態での支持要素４上でのケーブルドラム３の位置保持のために役立つ。駆動装置１を完全に組立てた後で、ケーブルドラム３は中空輪３１を介して駆動輪６に連結され、軸方向においてケーブル繰り出しハウジング２と駆動ハウジング７の間で固定される。
【００５３】
ハウジング部分２１の内面には、軸方向に延びていて半径方向内向きに突出する保持要素２３が配置されている。この保持要素は本体３０の外周面のケーブル用溝３００の方に向き、好ましくは運転中にこの外周面に沿って滑動する。この保持要素２３は、ケーブル用溝３００に収容された引張りケーブル１０がケーブル用溝３００から飛び出さないようにする。
【００５４】
駆動ハウジング７は、電動機カップ７３が平面部分４０の成形部４４内に位置し、ウォームハウジング７４が成形部４４に接続する平面部分４０の成形部４４０内に位置するように（図１Ａ、１Ｂ、２参照）、支持要素４の第２の側に装着される。駆動ハウジング７の装着の際、係合ブッシュの形をした固定装置７１の中に形成されたかみ合い連結穴７１０が支持要素４の下面から突出する、ピンの形をしたかみ合い連結要素４３に係合する。固定装置７１のかみ合い連結穴７１０が、支持要素４上のピンの形をしたかみ合い連結要素４３と同様に、駆動ハウジング７の軸受要素７２によって形成された回転軸線Ｄから半径方向に離隔されていることにより、駆動ハウジングがこのかみ合い連結係合によって支持要素４上に相対回転しないように固定されるので、駆動ハウジング７は回転防止される。
【００５５】
支持要素４のかみ合い連結要素４３には、封止要素５のシール５０の係合部分５１が設けられている。従って、かみ合い連結要素４３と固定装置７１のかみ合い連結穴７１０とのかみ合い連結係合は、係合部分５１を介在して行われる。これは音響的に分離する働きがある。
【００５６】
封止要素５には湾曲した部分５２が形成されている。この部分はウォームハウジング７４を収容するための成形部４４０の範囲に位置することになる。湾曲した部分５２がウォームハウジング７４と支持要素４の間の中間層を形成するので、支持要素４からの駆動ハウジング７の音響的な分離が達成される。
【００５７】
駆動ハウジング７が封止要素５を介在して支持要素４に装着されると、駆動ハウジング７が固定要素９を介してケーブル繰り出しハウジング２に締付けられるので、ケーブル繰り出しハウジング２と駆動ハウジング７が互いに固定されかつ支持要素４に固定される。図１Ａ、１Ｂから判るように、固定要素９が駆動ハウジング７の軸受要素７２内の係合穴７２１に挿入されるので、固定要素９はそのシャフト９０が軸受要素７２の頭部の穴７２０を通過し、ケーブル繰り出しハウジング２の軸受要素２２の穴２２１に係合する。この場合、固定要素９の頭部９１が軸受要素２２とは反対の穴７２０の側に位置するので、固定要素９を軸受要素２２の穴２２１にねじ込むことにより、ケーブル繰り出しハウジング２は駆動ハウジング７に対して締付けられる。この場合、ケーブル繰り出しハウジング２の軸受要素２２と駆動ハウジング７の軸受要素７２が、ケーブルドラム３のためと駆動輪６のための共通の回転軸線Ｄを形成するので、ケーブルドラム３と駆動輪６は運転中、互いに同軸におよび互いに一緒に回転することができる。
【００５８】
図１Ａ、１Ｂ乃至図７Ａ、７Ｂの実施の形態の場合、電動機８０の駆動軸８００は駆動ハウジング７と相対的に軸の軸線Ｗ回りに回転可能に軸承されている。図４Ｂの断面図から判るように、電動機８０は、多数のステータコイル８３０（図４Ｂには略示してある）を磁極歯に支持するステータ８３と、多数の永久磁石極を有する磁石構造体８４０を支持するロータ８４とによって形成されている。ロータ８４はアウタロータであり、ステータ８３の半径方向外側で回転する。ロータ８４は駆動軸８００に相対回転しないように連結されている。この駆動軸はブッシュ状の軸受要素８５内でステータ８３に対して回転可能に軸承されている。
【００５９】
電動機８０はそのステータ８３に、例えば６個、９個、１２個、１５個、１８個、２１個または２４個の磁極歯を備え、この磁極歯はそれに配置されたステータコイル８３０を有する。電動機８０の運転中、ステータコイル８３０は電子的に整流されて通電されるので、ステータ８３で回転磁界が回転する。この回転磁界は（例えば４個、６個、８個、１０個、１２個、１４個または１６個の磁極を有する）磁石構造体８４０によってロータ８４に発生する、トルクを生じるための励起磁界と協働し、それによってロータ８４はステータ８３回りに回転させられる。
【００６０】
図４Ｂの断面図から明らかなように、軸の軸線Ｗはケーブルドラム３と駆動輪６の回転軸線Ｄに対して斜めに延在している。これは支持要素４における電動機８０の配置に付加的な自由度を生じる。これは駆動装置１をコンパクトな構造にする。
【００６１】
これを図８〜１０に基づいて説明する。
【００６２】
図８は、軸の軸線Ｗが回転軸線Ｄに対して横方向に延在している従来の構造を示している。駆動ウォーム８１が駆動輪６と同じ高さ位置に配置されているので、電動機カップ７３内に入れられた電動機８０は、支持要素４の第２側の構造空間を決定する比較的に大きな高さＨ１を、支持要素４の第２側に有することになる。電動機カップ７３の高さＨ１は特に、電動機ハウジング７６の高さＨよりも大きい。（駆動ハウジング７とケーブル繰り出しハウジング２に沿って測定した）駆動装置１の全高はＨ３となる。この全高は電子機器ハウジング７６とケーブル繰り出しハウジング２に沿って測定した高さＨ２よりも大きい。
【００６３】
図１Ａ、１Ｂ乃至図７Ａ、７Ｂの実施の形態に対応する図９の変形に示すように、軸の軸線Ｗが回転軸線Ｄに対して傾斜角をなして延在していると、電動機カップ７３が支持要素４の第２側で電子機器ハウジング７６から突出しないように、電動機８０をケーブル繰り出しハウジング２の方へすらすことができる。従って、第２側における電動機カップ７３の高さが電子機器ハウジング７６の高さＨに一致するので、電動機カップ７３は（支持要素４に対して垂直方向に）付加的な構造スペースを必要としない。駆動装置１の全高Ｈ２は（専ら）ケーブル繰り出しハウジング２と電子器機器ハウジング７６の高さによって決まる。
【００６４】
図９の変形の場合、電動機カップ７３を入れた成形部４４の上縁とケーブル繰り出しハウジング２の底２０の上縁との間には、垂直方向に沿って（支持要素４に対して垂直に）間隔Ａが存在する。従って、付加的な構造スペースが存在し、この構造スペースは、図１０に示すように、電動機８０の直径を拡大するために利用可能である。
【００６５】
アウタロータとして形成されたロータ８４によって決まる電動機８０の直径は、成形部４４の上縁が底２０の上縁と同じ高さに位置するように拡大することができる。それによって、（支持要素４の第１側の成形部４４の高さと支持要素４の第２側の電動機カップ７３の高さＨとによって決まる、）電動機８０のために必要な構造スペースの全高は、ケーブル繰り出しハウジング２と電子機器ハウジング７６の全高Ｈ２に一致する。この場合、ロータ直径８４の増大により、電動機８０と駆動軸８００の（軸の軸線Ｗに沿って見た）軸方向長さを短縮することができるので、直径の増大は、トルクが同じである場合、電動機８０の軸方向長さの短縮を可能にする。
【００６６】
電動機８０を取り囲む電動機カップ７３は、支持要素４の成形部４４内に入っている。成形部４４が支持要素４の第１側のケーブル繰り出しハウジング２の空間内に延び、平面要素４０から突出していることにより、電動機カップ７３は、比喩的に言えば駆動ハウジング７に付設された支持要素４の第２側から観察すると、支持要素４内に沈下させることが可能である。これは、軸の軸線Ｗの傾斜した配向および電動機８０の直径の拡大と共に、駆動装置１のきわめてコンパクトな構造を可能にする。
【００６７】
きわめて有利な実施の形態では、回転軸線Ｄに対する軸の軸線Ｗの傾斜位置は、図１１に示すように、駆動ウォーム８１のウォーム歯８１０のピッチ角度βが、回転軸線Ｄに対して横向きの横軸線Ｑと軸の軸線Ｗとがなす角度に一致するように選定可能である。これは、駆動輪６の外歯６００を（回転軸線に対して平行に延びる歯先を有する）直歯として形成することを可能にする。これは、従来一般的であるはすばと比較して、駆動輪６の簡単で低コストの製作を可能にする。従って、軸の軸線Ｗの傾斜配置は構造スペースのために有利であるだけでなく同時に、駆動輪６の簡単で低コストの製作を可能にする。
【００６８】
図１１から明らかなように、軸の軸線Ｗは回転軸線Ｄに対して角度αをなしている。角度βは９０°−αの角度に相当する。
【００６９】
駆動ウォーム８１は例えば駆動軸８００と一体に形成することができる。しかし、付加的な別個の部品としての駆動ウォーム８１を、駆動軸８００に相対回転しないように配置することもできる。
【００７０】
図１３乃至２１は、ハウジングカップ７０内に入れられて軸受要素７２に回転可能に軸承された駆動輪６を駆動するための電動機ユニット８の電動機８０の実施の形態を示している。
【００７１】
既に説明したように、電動機８０はステータ８３と、このステータ８３の回りを回転する、アウタロータとして形成されたロータ８４とを備えている。ロータ８４は駆動軸８００に連結され、この駆動軸には、駆動輪６を駆動するための駆動ウォーム８１が配置されている。
【００７２】
図１５Ａ、１５Ｂおよび１７から明らかなように、ステータ８３はステータ本体８３２を備えている。このステータ本体は例えば互いに装着された金属薄板によって積層薄板として形成され、多数の磁極歯８３１（実施の形態では９個の磁極歯８３１）を形成している。磁極歯８３１にはステータコイル８３０が設けられている。このステータコイルは図示した実施の形態の場合には同心的なコイルとして形成されている。この場合、各磁極歯８３１に１個または複数のコイルを配置することができ、このコイルはそれぞれ付設の磁極歯８３１の周りに巻かれた、それぞれ複数の巻きを有する巻線によって形成されている。
【００７３】
ステータ８３は軸受要素８５を介して駆動ハウジング７に固定連結されている。これは、軸受要素８５の第１シャフト部分８５０が中央でステータ本体８３２に係合し、第１シャフト部分８５０に対して軸方向にずらした第２シャフト部分８５１がウォームハウジング７４（例えば図４Ｂ参照）に差し込まれていることによって行われる。ステータ８３は軸受要素８５を介して駆動ハウジング７に固定連結されている。この場合、シャフト部分８５０、８５１は例えば圧着、接着、溶接またはその他の方法で、一方ではステータ本体８３２に、他方ではウォームハウジング７４に固定されている。
【００７４】
軸受要素８５は、例えば図１６と図１９Ａ、１９Ｂを合わせて見ることによって判るように、中央の軸受穴８５２を有する。この軸受穴に駆動軸８００が通されて係合する。それによって、駆動軸８００は軸受要素８５内に回転可能に軸承されている。この場合、駆動軸８００はステータ８３とは反対側のその端部において、軸受要素８２を介してウォームハウジング８４内で支持されている（例えば図４Ｂ参照）。
【００７５】
軸受要素８５は例えば合成樹脂で製作可能であり、駆動軸８００を軸承するために滑り特性を有すると有利である。
【００７６】
アウタロータとして形成されたロータ８４は磁極カップ８４１を備えている。この磁極カップは、図２１に概略的に示すように、周方向に互いにずらした多数の磁極Ｎ、Ｓを有する磁石構造体８４０を備えている。磁石構造体８４０は例えば、磁化される（極性を与えられる）部分を交互に有する環状磁石として形成可能である。
【００７７】
図示した実施の形態の場合、磁石構造体８４０は、図２１に示すように、互いに交互に配置された６個の磁極Ｎ、Ｓを有する。
【００７８】
磁極カップ８４１は、例えば図１６と図１４Ｂから判るように、端壁８４２を介して、駆動ウォーム８１とは反対側の駆動軸８００の端部に連結されている。そのために、端壁８４２は連結フランジ８４３を備え、この連結フランジに駆動軸８００が契合し、従って駆動軸８００は連結フランジを介して磁極カップ８４１に相対回転しないように固定されている。
【００７９】
磁極カップ８４１はステータ８３寄りの外周壁の内周面に、磁石構造体８４０を支持している。磁極カップ８４１は好ましくは強磁性特性を有する材料、例えば金属材料から作られ、磁石構造体８４０のための磁気的なループバックをなしていると有利である。
【００８０】
ロータ８４が外側でステータ８３の回りを回転し、それによって比較的に大きな半径でトルクが発生するので、電動機８０は有利なトルク発生特性を有する。これは、駆動軸８００と同様に電動機８０の軸方向長さを短縮することを可能にし、ひいては軸方向における電動機ユニット８の構造スペースを縮小することを可能にする。
【００８１】
前述のように、電動機８０はステータ８３の異なる数の磁極歯８３１と、ロータ８４の異なる数の磁極Ｎ、Ｓを有することができる。
【００８２】
図２１に概略的に示すように、ステータコイル８３０は駆動装置１の運転中、ロータ８３の磁極歯８３１で電子的に整流されて通電される。この場合、電子的な切換え器Ｖ１〜Ｖ６を介して、正の電位または負の電位が３つの位相線Ｌ１、Ｌ２、Ｌ３に交互に接続され、それによって回転する回転磁界がステータコイル８３０に発生する。この回転磁界はロータ８４においてトルクを発生するために、ロータ８４の磁石構造体８４０によって発生した励起磁界と協働する。この場合、ステータコイル８３０の接続は軸受要素８５を介して行うことができる。この軸受要素を介して、例えば電子機器ハウジング７６からステータコイル８３０まで導線を案内することができる。
【００８３】
図２２〜２５は、図１３〜２１の実施の形態に対して少し変形された電動機ユニット８の実施の形態を示している。この実施の形態の場合、電動機８０はアウタロータとして形成された、ステータ８３の半径方向外側で回転するロータ８４を備えている。ロータ８４は磁極カップ８４１を備え、この磁極カップが駆動軸８００に固定連結されているので、ロータ８４を回転することにより、駆動軸８００が回転させられ、そしてこの駆動軸８００上に配置された駆動ウォーム８１（この駆動ウォームは例えば駆動軸８００と一体に形成されている）を介して駆動輪６を駆動する。
【００８４】
図１３〜２１と図２２〜２５の実施の形態の場合、駆動軸８００はそれぞれ２個の軸受要素８２、８５を介して、駆動ハウジング７に対して、すなわちウォームハウジング７４に対して軸承されている。この場合、軸受要素８２、８５は軸の軸線Ｗ回りに駆動軸８００を回転可能に軸承する。この軸の軸線Ｗはロータ８４の回転軸線に一致する。
【００８５】
軸受要素８５は、図１３〜２１の実施の形態に基づいて上述したように、図２２〜２５の実施の形態の場合にも協働的な二重機能で、ステータ８３をウォームハウジング７４に対して固定し、かつ駆動軸８００を軸承する働きをする。この場合、軸受要素８５は好ましくは、ウォームハウジング７４に係合するそのシャフト部分８５１に、他の第２軸受要素８２と同じ外径を有する。それによって、内径がウォームハウジング７４の長さに沿って一定の場合には、軸受要素８２、８５はウォームハウジング７４内で同じような許容誤差を有する。
【００８６】
ステータ８３を支持する第２軸受要素８５は、互いに周方向にずらされた個々の突起によって形成されたストッパ８５３を備えている。ウォームハウジング７４に係合する軸受要素８５の場合、このストッパがウォームハウジング７４の入口の段差部７４０に接触するので、ストッパ８５３を介して、ウォームハウジング７４と相対的な軸受要素８５の軸方向位置が固定される。
【００８７】
これに対して、第２の軸受要素８２はウォームハウジング７４内で段差部７４１に接触する。この段差部はウォームハウジング７４の端部分７４２への移行部（駆動ウォーム８１を収容するウォームハウジング７４の部分よりも小さな内径を有する）に形成されている。それによって、第２の軸受要素８２はウォームハウジング７４内で軸方向に支持され、ウォームハウジング７４内で所定の軸方向位置を占める。
【００８８】
駆動軸８００は第２の軸受要素８２に付設されたその端部のところで、ウォームハウジング７４の端部分７４２内にある乗り上げ要素８６を介して、ウォームハウジング７４内で軸方向に支持されている。乗り上げ要素８６は駆動ウォーム８００のためのスラスト軸受を形成する。
【００８９】
これに対して、駆動軸８００はその他端が、電動機カップ７３に連結された駆動ハウジング７の蓋７５に軸方向で支持されている。そのために、蓋７５は駆動軸８００の方へ突出する乗り上げ個所７５０を備えている。この乗り上げ個所は駆動軸８００のために所定の軸方向乗り上げを生じる（特に図２５参照）。それによって、駆動軸８００の軸方向力が蓋７５で受け止め可能であるので、駆動軸８００の両側の軸方向支持によって、ウォームハウジング７４とそれに接続する電動機カップ７３内において駆動軸８００のための実質的に遊びのない軸方向軸承が達成可能である。
【００９０】
蓋７５は例えば電動機カップ７３に溶接可能である。この場合、電動機カップ７３に対して蓋７５を締付けて溶接することできるので、組立て時に駆動ハウジング７内で駆動軸８００の遊びを除去することができる。
【００９１】
本発明の根底をなす思想は、上述の実施の形態に限定されず、基本的には全く異なる態様で実施可能である。
【００９２】
特に、上記種類の駆動装置は、窓ガラスでの使用に限定されず、車両内の他の調整要素、例えばスライドドア等を調整する働きをすることができる。
【００９３】
駆動装置は特に（１個の）軸方向締付け固定要素を使用して簡単に組立て可能である。組立ては少ない組立てステップで行われ、この少ない組立てステップは、ケーブル繰り出しハウジングと駆動ハウジングを支持要素に確実な固定すると共に、簡単で望ましい。
【符号の説明】
【００９４】
１  駆動装置
１０  ケーブル
１１  ガイドレール
１１０、１１１  方向変換部
１２  伝動体
１３  窓ガラス
２  ケーブル繰り出しハウジング
２０  底
２００、２０１  構造要素（補強リブ）
２０２  凹部（材料薄肉部）
２１  ハウジング部分
２１０  脚部
２１１  係止要素
２１２  かみ合い連結穴（スリット穴）
２２  軸受要素（軸受心棒）
２２０  センタリング円錐部
２２１  穴
２３  保持要素
３  ケーブルドラム
３０  本体
３００  ケーブル線
３１  中空輪
３１０  歯
３２  載置要素
４  支持要素（機器支持体）
４０  平面部分
４１  穴
４２  かみ合い連結要素
４２０  係止凹部
４３  かみ合い連結要素
４４  成形部
４４０  成形部
４５  接触リング
４６  載置リング
５  封止要素
５０  シール
５１  係合部分
５２  湾曲した部分
６  駆動輪
６０  本体
６００  外歯
６１  連結輪
６１０  歯
６２  穴
７  駆動ハウジング
７０  ハウジングカップ
７１  固定装置（係合ブッシュ）
７１０  かみ合い連結穴
７２  軸受要素（軸受心棒）
７２０  穴
７２１  係合穴
７２２  センタリング係合部
７３  電動機カップ
７４  ウォームハウジング
７４０、７４１  段差部
７４２  端部分
７５  ハウジング蓋
７５０  乗り上げ個所
７６  電子機器ハウジング
７６０  プリント回路基板
７６１  ハウジング板
７６２  差込みコネクタ
８  電動機ユニット
８０  電動機
８００  駆動軸
８１  駆動ウォーム
８１０  ウォーム歯
８２  軸受
８２０  ストッパ
８３  ステータ
８３０  ステータコイル
８３１  磁極歯
８３２  ステータ本体
８４  ロータ
８４０  磁石構造体（環状磁石）
８４１  磁極カップ
８４２  端壁
８４３  連結フランジ
８５  軸受要素
８５０、８５１  シャフト部分
８５２  軸受穴
８５３  ストッパ
８６  乗り上げ要素
９  固定要素
９０  シャフト
９１  頭部
α、β  角度
Ａ  間隔
Ｄ  回転軸線
Ｈ、Ｈ１、Ｈ２  高さ
Ｑ  横軸線
Ｖ１〜Ｖ６  電子的な切換え器
Ｗ  軸の軸線
【図１Ａ】
2019527032.tif 000003
【図１Ｂ】
2019527032.tif 000004
【図２】
2019527032.tif 000005
【図３】
2019527032.tif 000006
【図４Ａ】
2019527032.tif 000007
【図４Ｂ】
2019527032.tif 000008
【図５】
2019527032.tif 000009
【図６】
2019527032.tif 000010
【図７Ａ】
2019527032.tif 000011
【図７Ｂ】
2019527032.tif 000012
【図８】
2019527032.tif 000013
【図９】
2019527032.tif 000014
【図１０】
2019527032.tif 000015
【図１１】
2019527032.tif 000016
【図１２】
2019527032.tif 000017
【図１３】
2019527032.tif 000018
【図１４Ａ】
2019527032.tif 000019
【図１４Ｂ】
2019527032.tif 000020
【図１５Ａ】
2019527032.tif 000021
【図１５Ｂ】
2019527032.tif 000022
【図１６】
2019527032.tif 000023
【図１７】
2019527032.tif 000024
【図１８】
2019527032.tif 000025
【図１９Ａ】
2019527032.tif 000026
【図１９Ｂ】
2019527032.tif 000027
【図２０】
2019527032.tif 000028
【図２１】
2019527032.tif 000029
【図２２】
2019527032.tif 000030
【図２３】
2019527032.tif 000031
【図２４】
2019527032.tif 000032
【図２５】
2019527032.tif 000033
【国際調査報告】
2019527032.tif 000034
2019527032.tif 000035
2019527032.tif 000036
2019527032.tif 000037
2019527032.tif 000038
2019527032.tif 000039